Podtech/llm-jp-corpus-v4-ja_patent huggingface dataset:
【手続補正書】
【提出日】平成19年8月29日(2007.8.29)
【手続補正１】
【補正対象書類名】明細書
【補正対象項目名】特許請求の範囲
【補正方法】変更
【補正の内容】
【特許請求の範囲】
【請求項１】
個体を処置するための医薬の製造における、抗原または該抗原のCD8+T細胞エピトープをコードする複製欠損性アデノウイルスベクターの使用であって、該抗原に対するCD8+T細胞免疫応答が治療上または予防上有効なものであり、該医薬は、該抗原もしくはエピトープを含むかまたは該抗原もしくはエピトープをコードする核酸を含む非アデノウイルス性の初回免疫組成物を予め投与した後に、該個体において該抗原に対するCD8+T細胞免疫応答を増強するために該個体に投与するためのものである、上記使用。
【請求項２】
初回免疫組成物が抗原もしくはエピトープをコードするDNAを含む、請求項１記載の使用。
【請求項３】
初回免疫組成物が組換えTy-VLPを含む、請求項１記載の使用。
【請求項４】
初回免疫組成物が改変ウイルスアンカラ（MVA）を含む、請求項１記載の使用。
【請求項５】
医薬が、抗原もしくはエピトープを含むもう1つの異なる追加免疫組成物の投与前に投与するための追加免疫組成物である、請求項１〜４のいずれか１項記載の使用。
【請求項６】
医薬が、抗原もしくはエピトープを含むもう1つの異なる追加免疫組成物の投与後に投与するための追加免疫組成物である、請求項１〜４のいずれか１項記載の使用。
【請求項７】
医薬が皮内投与用である、請求項１〜６のいずれか１項記載の使用。
【請求項８】
医薬が筋内投与用である、請求項１〜６のいずれか１項記載の使用。
【請求項９】
抗原に対するCD8+T細胞免疫応答を生じさせるために使用される組み合わせであって：
（ｉ）該抗原もしくは該抗原のCD8+T細胞エピトープを含むかまたは該抗原もしくはエピトープをコードする核酸を含む非アデノウイルス性の初回免疫組成物、および
（ｉｉ）該抗原またはエピトープをコードする複製欠損性アデノウイルスベクターを含有する追加免疫組成物を含む、上記組み合わせ。
【請求項１０】
初回免疫組成物が抗原もしくはエピトープをコードするDNAを含む、請求項９記載の組み合わせ。
【請求項１１】
初回免疫組成物が組換えTy-VLPを含む、請求項９記載の組み合わせ。
【請求項１２】
初回免疫組成物が改変ウイルスアンカラ（MVA）を含む、請求項９記載の組み合わせ。
【請求項１３】
抗原もしくはエピトープを含むもう1つの異なる追加免疫組成物をさらに含む、請求項９記載の組み合わせ。
【請求項１４】
組成物が皮内投与用である、請求項９〜１３のいずれか１項に記載の組み合わせ。
【請求項１５】
組成物が筋内投与用である、請求項９〜１３のいずれか１項に記載の組み合わせ。
【手続補正書】
【提出日】平成19年4月13日(2007.4.13)
【手続補正１】
【補正対象書類名】明細書
【補正対象項目名】特許請求の範囲
【補正方法】変更
【補正の内容】
【特許請求の範囲】
【請求項１】  殺虫剤用の餌組成物の調製及び適用のためのキットであって、以下の：
（ａ）密閉された不透過性容器であって、その中にペレット又は粉末状の水に敏感な殺虫剤を有するもの；及び
（ｂ）餌基材を含む、密閉された包み、
を有する前記キット。
【請求項２】  前記分配用容器が、シリンジ、カートリッジ又はシリンダーである、請求項１に記載のキット。
【請求項３】  前記の密閉された不透過性容器が、ガラス瓶である、請求項１に記載のキット。
【請求項４】  前記の密閉された包みが、再シール可能なプラスチックバッグである、請求項１に記載のキット。
【請求項５】  前記水に敏感な殺虫剤がアセフェートである、請求項１に記載のキット。
【手続補正書】
【提出日】平成19年8月8日(2007.8.8)
【手続補正１】
【補正対象書類名】明細書
【補正対象項目名】特許請求の範囲
【補正方法】変更
【補正の内容】
【特許請求の範囲】
【請求項１】   (a)少なくとも１種の、式(1)：
【化１】
2003509445.tif 000001
［ここで、R1は独立して、直鎖もしくは分岐のC2〜C4アルキレンであり、R2は、フェニル、アリールもしくはアルキルアリールであり、R2におけるフェニル核は、置換されていないか、または、C1〜C4アルキルもしくはC1〜C4アルコキシからなる群より選択される１〜３個の基で置換されており、R3およびR4は独立して、水素、ナトリウム、カリウムおよび
【化２】
2003509445.tif 000002
（mは２または３であり、nは１〜150に含まれる数である）
からなる群より選択される］
のアルコキシル化ポリアリールフェノールリン酸エステルならびに、
(b)（Ｃ２−Ｃ４）アルコキシル化リグノスルホン酸塩
を含む界面活性剤系。
【請求項２】  成分(a)が、式
【化３】
2003509445.tif 000003
（ここで、R1およびｎは前記と同義であり、R3およびR5は独立して、水素、ナトリウム、カリウムおよび
【化４】
2003509445.tif 000004
からなる群より選択される）
を有するリン酸エステルである請求項１記載の界面活性剤系。
【請求項３】  成分(a)が、式
【化５】
2003509445.tif 000005
（ここで、ｎは前記と同義であり、R3およびR6は独立して、水素、ナトリウム、カリウムおよび
【化６】
2003509445.tif 000006
からなる群より選択される）
を有するリン酸エステルである請求項１記載の界面活性剤系。
【請求項４】  ｎが４〜25である請求項３記載の界面活性剤系。
【請求項５】  ｎが16である請求項３記載の界面活性剤系。
【請求項６】  成分(b)が、アルコキシル化スルホン化クラフトリグニンである請求項３記載の界面活性剤系。
【請求項７】  成分(b)が、エトキシル化スルホン化クラフトリグニンである請求項４記載の界面活性剤系。
【請求項８】  成分(b)が、２〜４に等しいEOを有するエトキシル化スルホン化クラフトリグニンのナトリウム塩である請求項７記載の界面活性剤系。
【請求項９】  成分(b)が、３に等しいEOを有するエトキシル化スルホン化クラフトリグニンのナトリウム塩である請求項８記載の界面活性剤系。
【請求項１０】  成分(a)のnが16である請求項８記載の界面活性剤系。
【請求項１１】  成分：
(a) 少なくとも１種の、式(1)：
【化７】
2003509445.tif 000007
［ここで、R1は独立して、直鎖もしくは分岐のC2〜C4アルキレンであり、R2は、フェニル、アリールもしくはアルキルアリールであり、R2におけるフェニル核は、置換されていないか、または、C1〜C4アルキルもしくはC1〜C4アルコキシからなる群より選択される１〜３個の基で置換されており、R3およびR4は独立して、水素、ナトリウム、カリウムおよび
【化８】
2003509445.tif 000008
（mは２または３であり、nは１〜150に含まれる数である）
からなる群より選択される］
のアルコキシル化ポリアリールフェノールリン酸エステルならびに、
(b)（Ｃ２−Ｃ４）アルコキシル化リグノスルホン酸塩
を合わせることからなる方法により得られる生成物。
【請求項１２】  成分(a)のnが16であり、成分(b)が２〜４に等しいEOを有する請求項１１記載の生成物。
【請求項１３】   (a)少なくとも１種の、式(1)：
【化９】
2003509445.tif 000009
［ここで、R1は独立して、直鎖もしくは分岐のC2〜C4アルキレンであり、R2は、フェニル、アリールもしくはアルキルアリールであり、R2におけるフェニル核は、置換されていないか、または、C1〜C4アルキルもしくはC1〜C4アルコキシからなる群より選択される１〜３個の基で置換されており、R3およびR4は独立して、水素、ナトリウム、カリウムおよび
【化１０】
2003509445.tif 000010
（mは２または３であり、nは１〜150に含まれる数である）
からなる群より選択される］
のアルコキシル化ポリアリールフェノールリン酸エステルならびに、
（Ｃ２−Ｃ４）アルコキシル化リグノスルホン酸塩
を含む化学的に統合された界面活性剤組成物。
【請求項１４】  少なくとも１種の農薬ならびに、
(a)少なくとも１種の、式(1)：
【化１１】
2003509445.tif 000011
［ここで、R1は独立して、直鎖もしくは分岐のC2〜C4アルキレンであり、R2は、フェニル、アリールもしくはアルキルアリールであり、R2におけるフェニル核は、置換されていないか、または、C1〜C4アルキルもしくはC1〜C4アルコキシからなる群より選択される１〜３個の基で置換されており、R3およびR4は独立して、水素、ナトリウム、カリウムおよび
【化１２】
2003509445.tif 000012
（mは２または３であり、nは１〜150に含まれる数である）
からなる群より選択される］
のアルコキシル化ポリアリールフェノールリン酸エステル、および
(b)（Ｃ２−Ｃ４）アルコキシル化リグノスルホン酸塩
を含む農薬処方物。
【請求項１５】  農薬が、式：
【化１３】
2003509445.tif 000013
を有する化合物Aである請求項１４記載の農薬処方物。
【請求項１６】  農業的に有効量の請求項１４記載の処方物を、保護を必要とする作物の場所に施用する工程を含む、作物を保護する方法。
【請求項１７】  農業的に有効量の請求項１５記載の処方物を、保護を必要とする作物の場所に施用する工程を含む、作物を保護する方法。
【手続補正書】
【提出日】平成19年11月8日(2007.11.8)
【手続補正１】
【補正対象書類名】特許請求の範囲
【補正対象項目名】請求項１０
【補正方法】変更
【補正の内容】
【請求項１０】
前記幾何学的図形（１２４Ｂ）が、多角形である、請求項７から請求項９の何れか一項に記載のセンタリング−ブロッキング装置。
【手続補正２】
【補正対象書類名】明細書
【補正対象項目名】００３７
【補正方法】変更
【補正の内容】
【００３７】
図示されている例では、照明手段は、４５°傾けられたミラー（鏡）１２６を備える反射器システムに向かって発散光線１を発する光源Ｓと、サポートプレート１２１に配置された眼鏡レンズ１０３に向かう平行光線２を形成するように構成された集束レンズ１２３とを備え、中心標識及び／又は軸標識を有するサポートプレート１２１の前面が集束レンズ１２３に面するように配置されている。
【手続補正書】
【提出日】平成19年11月2日(2007.11.2)
【手続補正１】
【補正対象書類名】特許請求の範囲
【補正対象項目名】全文
【補正方法】変更
【補正の内容】
【特許請求の範囲】
【請求項１】
熱可塑性ポリマー鞘とエラストマー配合物芯とを含む複合繊維であって、前記エラストマー配合物芯が、Ｓブロック及びＥ又はＥ１ブロックを有し且つ一般式
Ｓ−Ｅ−Ｓ，（Ｓ−Ｅ１）ｎ，（Ｓ−Ｅ１）ｎＳ，（Ｓ−Ｅ１）ｎＸ
のいずれか一つを有する選択的に水素化されたブロック共重合体又はその混合物を含む、複合繊維
（ここで、
ａ．水素化の前に前記Ｓブロックがポリスチレンブロックであり、
ｂ．水素化の前に前記Ｅブロックが４０，０００ないし７０，０００の分子量を有する、ポリブタジエン、ポリイソプレン及び／又はその混合物のポリジエンブロックであり、
ｃ．水素化の前に前記Ｅ１ブロックが２０，０００ないし３５，０００の分子量を有する、ポリブタジエン、ポリイソプレン及び／又はそれらの混合物のポリジエンブロックであり、
ｄ．ｎが２ないし６の値を有し、及びＸはカップリング剤の残部であり、
ｅ．前記ブロック共重合体のスチレン含有量が１３ないし２５重量％であり、
ｆ．水素化の前の前記ポリジエンブロックのビニル含有量が７０ないし８５モル％であり、
ｇ．前記ブロック共重合体が、一般式
Ｓ−Ｅ又はＳ−Ｅ１
（式中Ｓ、Ｅ及びＥ１がすでに定義されているとおりである。）
を有する単位の１５重量％未満を包含し、
ｈ．水素化後、前記スチレン二重結合の約０ないし１０％が水素化されており、及び共役ジエン二重結合の少なくとも８０％が水素化されており、
ｉ．前記Ｓブロックの各々の分子量が５，０００ないし７，０００であり、及び
ｊ．前記ブロック共重合体のメルトインデックスが、２３０℃及び２．１６ｋｇ重量でＡＳＴＭ  Ｄ１２３８にしたがって１２ｇ／１０分以上である。）
。
【請求項２】
熱可塑性ポリマーとエラストマー配合物と増粘性樹脂とを含む複合繊維であって、前記エラストマー配合物が、Ｓブロック及びＥ又はＥ１ブロックを有し且つ一般式
Ｓ−Ｅ−Ｓ，（Ｓ−Ｅ１）ｎ，（Ｓ−Ｅ１）ｎＳ，（Ｓ−Ｅ１）ｎＸ
のいずれか一つを有する選択的に水素化されたブロック共重合体又はその混合物を含む、複合繊維
（ここで、
ａ．水素化の前に前記Ｓブロックがポリスチレンブロックであり、
ｂ．水素化の前に前記Ｅブロックが４０，０００ないし７０，０００の分子量を有する、ポリブタジエン、ポリイソプレン及びその混合物からなる群から選択される、ポリジエンブロックであり、
ｃ．水素化の前に前記Ｅ１ブロックが２０，０００ないし３５，０００の分子量を有する、ポリブタジエン、ポリイソプレン及びそれらの混合物からなる群から選択される、ポリジエンブロックであり、
ｄ．ｎが２ないし６の値を有し、及びＸはカップリング剤の残部であり、
ｅ．前記ブロック共重合体のスチレン含有量が１３ないし２５重量％であり、
ｆ．水素化の前の前記ポリジエンブロックのビニル含有量が７０ないし８５モル％であり、
ｇ．前記ブロック共重合体が、一般式
Ｓ−Ｅ又はＳ−Ｅ１
（式中Ｓ、Ｅ及びＥ１がすでに定義されているとおりである。）
を有する単位の１５重量％未満を包含し、
ｈ．水素化後、前記スチレン二重結合の約０ないし１０％が水素化されており、及び共役ジエン二重結合の少なくとも８０％が水素化されており、
ｉ．前記Ｓブロックの各々の分子量が５，０００ないし７，０００である。）
。
【請求項３】
弾性モノフィラメント、織物、スパンボンド不織布、メルトブロー不織布若しくはフィルター、短繊維、糸又は結合され毛羽立てられた織物である、請求項１又は２に記載の複合繊維を含む物品。
【請求項４】
複合繊維がフィラメントあたり９０００ｍあたり０．１ないし３０ｇのデニールを有するように、熱可塑性ポリマーから主としてなる鞘と、エラストマー配合物から主としてなる芯とを有する１本以上のフィラメントを１分間あたり少なくとも５００ｍの速度で形成するために、ダイスを通じて押し出し成形するよう個別の融解ポンプを使用して前記熱可塑性ポリマー及び前記エラストマー配合物に力が加えられる、前記熱可塑性ポリマー及び前記エラストマー配合物の共押し出しを含む、請求項１に記載の複合繊維を作製するためのプロセス。
【手続補正書】
【提出日】平成18年8月29日(2006.8.29)
【手続補正１】
【補正対象書類名】特許請求の範囲
【補正対象項目名】全文
【補正方法】変更
【補正の内容】
【特許請求の範囲】
【請求項１】
多重推進システムを備えた航空エンジンのための一体化空気ダクトであって、前記一体化空気ダクトが、
入ってくる空気のための開口部を持つ固定外壁と、
前記ダクトを、前記固定外壁との間で、前記開口部の下流に前方リムを有する第１のチャンネルと第２のチャンネルとに分割する固定内壁と、
可動パネルであって、前記第１のチャンネルの前方リムの上流の回動軸で前記固定外壁の内部に取付けられていて、前記開口部を通って入ってくる空気を前記第１のチャンネルと第２のチャンネルとに同時に進入させる開位置と、前記第２のチャンネルへの空気の進入を阻止し、それで、前記開口部を通って入ってくる空気をほぼ全部、前記第１のチャンネルに進入させる閉位置の間で旋回する可動パネルと、
前記可動パネルを前記開位置と前記閉位置の間で移動させる手段と、を具備する、ことを特徴とする一体化空気ダクト。
【請求項２】
前記可動パネルが、前記閉位置にあるとき、前記回動軸から前記第１のチャンネルの前方リムまで延びる、ことを特徴とする請求項１に記載の一体化空気ダクト。
【請求項３】
前記可動パネルが、前記閉位置にあるとき、前記回動軸から前記第１のチャンネルの前方リムまで細まり流路を形成する、ことを特徴とする請求項１に記載の一体化空気ダクト。
【請求項４】
前記開口部と前記第１のチャンネルが各々、ほぼ円形の横方向断面を有し、
前記可動パネルが複数個、前記第１のチャンネルの周囲に沿って配置されており、前記可動パネルが、前記固定内壁を前記固定外壁に結合させる同数のストラットと互い違いに位置し、前記ストラットが各々、これに取付けられた１つのフューエルインゼクタを有する、ことを特徴とする請求項１に記載の一体化空気ダクト。
【請求項５】
前記可動パネルが分流パネルとして限定され、前記空気ダクトが更に、前記分流パネルの下流の前記固定外壁の内部に取付けられたディフューザパネルとして限定された補助の可動パネルを包含し、前記分流パネルとディフューザパネルが各々、回動式に取付けられた端と自由端を有し、前記分流パネルとディフューザパネルが前記自由端で出会う、ことを特徴とする請求項１に記載の一体化空気ダクト。
【請求項６】
前記可動パネルが分流パネルとして限定され、前記空気ダクトが更に、前記分流パネルの下流の前記固定外壁に取付けられた下流可動パネルを包含し、前記分流パネルと下流パネルが、開いているときは前記第２のチャンネルを通る通路を提供し、閉じているときは前記第２のチャンネルの中に囲い室を形成する、ことを特徴とする請求項１に記載の一体化空気ダクト。
【請求項７】
前記可動パネルが、各々、前記第１のチャンネルの前方リムの上流の回動軸で前記固定外壁の内部に取付けられた第１の複数可動パネルの１つで、入ってくる空気を前記第１のチャンネルと第２のチャンネルの両方に同時に進入させる開位置と、前記第２のチャンネルへの空気の進入を阻止し、それで、入ってくる空気をほぼ全部、前記第１のチャンネルに進入させる閉位置の間で旋回するようになっており、前記空気ダクトが更に、前記第１の複数パネルの下流の前記固定外壁に取付けられた第２の複数可動パネルを包含し、前記第１の複数可動パネルと第２の複数可動パネルが、入ってくる超音速の流れを先ずほぼ音速の流れに減速し、次に亜音速の流れに減速すべく、前記第２のチャンネルに細まり／広がり形状を提供する位置へ移動できるように配置されている、ことを特徴とする請求項１に記載の一体化空気ダクト。
【請求項８】
多重推進システムを有する航空エンジンであって、前記航空エンジンが
ラムジェット、
ブースタ推進システム、および、
請求項１に記載の一体化空気ダクト、
を具備する、ことを特徴とする航空エンジン。
【請求項９】
前記ブースタ推進システムが、ターボジェット、ロケットモータ、ターボジェットとロケットモータの組合せ、のいずれかである、ことを特徴とする請求項８に記載の航空エンジン。
【請求項１０】
前記第１のチャンネルがほぼ円形の断面を有し、前記可動パネルが、前記第１のチャンネルの前方リムの上流の回動軸で前記固定外壁の内部に取付けられた複数の可動パネルの１つで、前記開口部を通って入ってくる空気を前記第１のチャンネルと第２のチャンネルの両方に同時に進入させる開位置と、前記開口部を通って入ってくる空気をほぼ全部、前記第１のチャンネルに進入させる閉位置の間で旋回するようになっており、前記可動パネルが、前記閉位置にあるとき、前記第１のチャンネルに向かう細まり流路を形成する、ことを特徴とする請求項８に記載の航空エンジン。
【手続補正書】
【提出日】平成19年10月25日(2007.10.25)
【手続補正１】
【補正対象書類名】特許請求の範囲
【補正対象項目名】全文
【補正方法】変更
【補正の内容】
【特許請求の範囲】
【請求項１】
上面層及び底面層を有する第１の電極であって、かつ、該第１の電極の底面層から突き出る複数の角質層貫通マイクロプロジェクションを有する、上記第１の電極；
第２の電極；
生物学的活性物質を含有する該第１の電極と結合された生物学的活性物質の源；並びに  細胞膜をエレクトロポレーションすることが可能な該第１の電極及び該第２の電極に第１の電気信号を送達するようになっている回路：
を含んでなる生物学的活性物質を経皮的に送達するためのシステム。
【請求項２】
第１の電気信号が生物学的活性物質の細胞内移動を容易にする請求項１のシステム。
【請求項３】
第１の電気信号が約１００Ｖ／ｃｍ〜５，０００Ｖ／ｃｍの範囲内の電界密度を形成するようになっている請求項１のシステム。
【請求項４】
回路が更に、生物学的活性物質の経皮的移動を容易にする、第１の電極及び第２の電極に第２の電気信号を送達するようになっている請求項２のシステム。
【請求項５】
第２の電極が上面層及び底面層及び、第２の電極の底面層から突き出る複数の角質層貫通マイクロプロジェクションを有する請求項１のシステム。
【請求項６】
第１の電気信号が実質的に均一な電界を形成する請求項５のシステム。
【請求項７】
第１の電極及び第２の電極が第１のマイクロプロジェクション部材を含んでなる請求項６のシステム。
【請求項８】
第１の電極及び第２の電極が第１のマイクロプロジェクション部材の区域を含んでなり、そして第１の電極及び第２の電極が絶縁体により分離されている請求項７のシステム。
【請求項９】
第１の電極が円形の区域を含んでなり、そして第２の電極が該円形の区域の周囲の円周区域を含んでなる請求項８のシステム。
【請求項１０】
第１の電気信号が球状に対称的な電界を形成する請求項９のシステム。
【請求項１１】
第１の電極及び第２の電極がマイクロプロジェクション部材の円周の周囲に平行なプレートのコンデンサー（ｃａｐａｃｉｔｏｒ）構造物を含んでなる請求項９のシステム。
【請求項１２】
第１の電極及び第２の電極が絶縁体により分離された角質層貫通マイクロプロジェクションの交互の列を含んでなる請求項７のシステム。
【請求項１３】
第１の電極が第１のマイクロプロジェクション部材を含んでなりそして第２の電極が第２のマイクロプロジェクション部材を含んでなる請求項６のシステム。
【請求項１４】
第１のマイクロプロジェクション部材及び第２のマイクロプロジェクション部材が半球状に対称的な電界を形成するように配置されている請求項１３のシステム。
【請求項１５】
細胞をエレクトロポレーションするために電界密度を最大にするように構成されている第１のマイクロプロジェクション部材上に配置された絶縁コーティングを更に含んでなる
請求項５のシステム。
【請求項１６】
生物学的活性物質が免疫学的活性物質を含んでなる請求項１のシステム。
【請求項１７】
生物学的活性物質が抗感染薬、抗生物質、抗ウイルス剤、鎮痛剤、フェンタニル、スフェンタニル、レミフェンタニル、ブプレノルフィン、鎮痛剤組み合わせ物、麻酔剤、食欲抑制剤、抗関節炎剤、抗喘息剤、テルブタリン、抗痙攣剤、抗鬱剤、抗糖尿病剤、下痢止め剤、抗ヒスタミン剤、抗炎症剤、抗偏頭痛調製物、スコポラミン及びオンダンセトロンのような抗乗り物酔い調製物、制嘔吐剤、抗腫瘍剤、抗パーキンソン病薬、止痒剤、抗精神病剤、解熱剤、鎮痙剤、抗コリン作用剤、交感神経興奮様薬、キサンチン誘導体、循環器官用調製物、カルシウムチャンネルブロッカー、ニフェジピン、ベータブロッカー、ベータアゴニスト、ドブタミン、リトドリン、抗不整脈剤、降圧剤、アテノロール、ＡＣＥインヒビター、ラニチジン、利尿剤、血管拡張剤、中枢神経系刺激剤、咳及び風邪用調製物、うっ血除去剤、診断薬、ホルモン、副甲状腺ホルモン、催眠剤、免疫抑制剤、筋弛緩剤、副交感神経遮断剤、副交感神経興奮様薬、プロスタグランジン、タンパク質、ペプチド、精神刺激薬、鎮静剤及び精神安定剤、からなる群から選択される請求項１のシステム。
【請求項１８】
生物学的活性物質源がマイクロプロジェクション上の生物学的適合性のコーティングを含んでなる請求項１のシステム。
【請求項１９】
コーティングが更に、界面活性剤、両親媒性ポリマー、親水性ポリマー、生物学的適合性担体、安定剤、血管収縮剤及び経路開放モジュレーターからなる群から選択される化合物を含んでなる請求項１８のシステム。
【請求項２０】
生物学的活性物質源がヒドロゲルを含んでなる請求項１のシステム。
【請求項２１】
ヒドロゲルが更に、高分子ポリマーの網状構造物、界面活性剤、両親媒性ポリマー、血管収縮剤及び経路開放モジュレーターからなる群から選択される化合物を含んでなる請求項２０のシステム。
【手続補正書】
【提出日】平成19年9月21日(2007.9.21)
【手続補正１】
【補正対象書類名】明細書
【補正対象項目名】特許請求の範囲
【補正方法】変更
【補正の内容】
【特許請求の範囲】
【請求項１】
首固定装具をヘルメットと共に用いた時に、前記ヘルメットの動きを前記ヘ
ルメットの下側と接触することで制限する、少なくとも１つの上向き衝撃表面と；
前記固定装具の装着者の体の上で支持するように形成された少なくとも１つの表面と；
前記上向き衝撃表面と前記装着者の体の上で支持する前記表面との間に延びる構造体とを含み、
前記構造体は前記衝撃表面への前記ヘルメットの衝撃負荷を前記装着者の体に伝えるために十分に柔軟である、
首固定装具
【請求項２】
前記構造体は堅い(rigid)、請求項１に記載の首固定装具。
【請求項３】
前記構造体の後部位置において前記構造体から前記装着者の背中を下方向に延びるコラムを含む、請求項１に記載の首固定装具。
【請求項４】
前記固定装具に加えられる衝撃負荷を、前記装着者の背中の脊柱の各側部に伝えるためのコラムの垂直縁部に沿った緩衝部とを備える、請求項３に記載の首固定装具。
【請求項５】
前記構造体から垂直方向に延びるバーと、前記バーよりも幅広で前記バーに固定され、そこからその各側部から横方向に突き出ているプレートとを含み、前記緩衝部は前記プレートによって担持されている、請求項４に記載の首固定装具。
【請求項６】
前記構造体から後ろ方向に突き出ている上部延長部と；
前記上部延長部の後部から上方向に延びる壁であって、前記衝撃表面は前記壁によって画されており、前記壁は前記ヘルメットの後端の下側に接触して前記ヘルメットが前記後方向に傾くのを制限するように構成されている、
請求項１に記載の首固定装具。
【請求項７】
前記壁は、平面図で湾曲しており、前記固定装具の後部を横断し且つ前記固定装具の各側部に沿って延びており、前記固定装具の前記後部を横切って延びる前記壁の部分は実質的に同じ高さを有し、且つ前記固定装具の各側部における前記壁の前記部分は前記固定装具を横断して延びる前記壁の前記部分から離れるに従って高さが減少する、
請求項６に記載の首固定装具。
【請求項８】
前記壁は前記後部方向に傾斜しており、前記衝撃表面に上方向に向けた傾斜方向を与えて、前記ヘルメットが傾斜すること及び前記後部分が突き出ることを妨げる、請求項７に記載の首固定装具。
【請求項９】
前記構造体からの前方延長部と下方延長部を含み、それらは前記装着者の胸の上で支持するように構成された下面部を画する、請求項１に記載の首固定装具。
【請求項１０】
前記延長部の前記下面上に緩衝部を含む、請求項９に記載の首固定装具。
【請求項１１】
前記上向き衝撃表面の１つを画する前方延長部を含む、請求項１に記載の首固定装具。
【請求項１２】
前記構造体は前記装着者の首の周りに延びることが可能なリングの形状である、請求項１に記載の首固定装具。
【請求項１３】
前記リングはＵ形状の前部セクションとＵ形状と後部セクションを含み、これらを留めるように構成された少なくとも１つの解放可能なラッチ手段を有する、請求項１２に記載の首固定装具。
【請求項１４】
前記リングは前記上向き衝撃表面と前記装着者の体の上で支持するように構成された前記表面との間に延びる壁を含む、請求項１２に記載の首固定装具。
【請求項１５】
前記壁は中空であり、尚且つ半径方向に外側の皮(skin)及び半径方向に内側の皮(skin)によって囲まれている、請求項１４に記載の首固定装具。
【請求項１６】
前記壁が少なくとも１つの破壊ゾーンを含む、請求項１４に記載の首固定装具。
【手続補正書】
【提出日】平成19年11月6日(2007.11.6)
【手続補正１】
【補正対象書類名】特許請求の範囲
【補正対象項目名】全文
【補正方法】変更
【補正の内容】
【特許請求の範囲】
【請求項１】
基板（164）と、
基板（164）上に形成されたインパルス発生器（160）と、
このインパルス発生器（160）に結合されて動作する基板（164）上に配置されたサンプリング回路（180）とを具備している位相検出器（100）。
【請求項２】
基板（164）は多層のアルミナ構造である請求項１記載の位相検出器。
【請求項３】
インパルス発生器（160）とサンプリング回路（180）は接地されたスロットライン技術を使用して、基板（164）上に形成されている請求項１記載の位相検出器。
【請求項４】
インパルス発生器（160）とサンプリング回路（180）は接地された同一平面導波体技術を使用して、基板上に形成されている請求項１記載の位相検出器。
【請求項５】
インパルス発生器（160）はスロットラインインパルス発生器である請求項１記載の位相検出器。
【手続補正書】
【提出日】平成19年10月15日(2007.10.15)
【手続補正１】
【補正対象書類名】特許請求の範囲
【補正対象項目名】全文
【補正方法】変更
【補正の内容】
【特許請求の範囲】
【請求項１】
ワイヤレス電子登録プレートのシステムにおいて、
移動手段内の任意の領域に組み込むことができる、中央ワイヤレスモジュールと、
太陽電池によって独立して電源供給されるワイヤレス電子登録プレートと
を具備し、
中央ワイヤレスモジュールが、電気エネルギー源と配線されている可能性があり、
前記ワイヤレス電子登録プレートは、データ源（ブルートゥース技術とともに使用可能なポータブルコンピュータまたは何らかの類似の電子デバイス）からのデータの受信、データ源のデータの更新、およびデータ源へのデータの送信、とともに前記中央ワイヤレスモジュールと衛星ワイヤレスモジュールとの間のデータの受信、データの更新、およびデータの送信を可能にする組み込みワイヤレス通信チップを備え、
前記衛星ワイヤレスモジュールは、前記ワイヤレス電子登録プレート中に配置され、
電子ペーパー、すなわち、電子インク技術が前記ワイヤレス電子登録プレート上でのデータの表示に使用される、
ワイヤレス電子登録プレートのシステム。
【請求項２】
前記ワイヤレス電子登録プレートは、２つの機能的部品、アクティブディスプレイおよびソーラーハウジングから形成され、これらは一緒になって分離できないユニットを形成する、請求項１記載のワイヤレス電子登録プレートシステム。
【請求項３】
前記アクティブディスプレイは、２つのフレキシブル部品で作られている、請求項２記載のワイヤレス電子登録プレートシステム。
【請求項４】
前記フレキシブル部品の第１のものに対して、電子ペーパーで作られた表示モジュールが使用され、前記表示モジュールは２つの層、前面ラミネートおよび背面ラミネートからなる、請求項３記載のワイヤレス電子登録プレートシステム。
【請求項５】
前記前面ラミネートは、透明電極を含むプラスチックフィルム層内に組み入れられている電子インクの層からなる、請求項４記載のワイヤレス電子登録プレートシステム。
【請求項６】
前記背面ラミネートは、フレキシブルプラスチックまたは金属／合金シートで作られており、前記背面ラミネートは、表示情報を制御する電子複合機器を含む、請求項４記載のワイヤレス電子登録プレートシステム。
【請求項７】
前記背面ラミネート中の電子複合機器は、制御モジュール、すなわち、テキストおよびグラフィックのためのメモリとドライバとを備えるチップと、ワイヤレスモジュール、すなわち、ワイヤレス通信およびデータ転送を可能にするチップとを含む、請求項６記載のワイヤレス電子登録プレートシステム。
【請求項８】
前記中央ワイヤレスモジュールは、ワイヤレスチップおよび電子機器回路からなり、前記電子機器回路は、前記移動手段内の電気エネルギー源とモジュールを適切に配線するために、およびモジュールを使用するために、必要とされる、請求項１記載のワイヤレス電子登録プレートシステム。
【請求項９】
前記ソーラーハウジングは、透明フレキシブルプラスチックで作られており、前記表示用アクティブスクリーンが、前記ソーラーハウジングに貼付され／埋め込まれて２つが全体として１つのものを作り上げるように、前記ソーラーハウジングは（受台のように）成型されている、請求項２記載のワイヤレス電子登録プレートシステム。
【請求項１０】
ソーラーモジュールは、薄型再充電可能バッテリに接続されている、薄型フレキシブルプラスチックフィルムで作られている太陽電池からなり、前記バッテリは、前記ソーラーモジュールの後ろのソーラーハウジング壁に埋め込まれており、前記ソーラーモジュールは前記ソーラーハウジングの下部に配置されている、請求項９記載のワイヤレス電子登録プレートシステム。
【請求項１１】
前記衛星モジュールへの電気エネルギーの供給に関して、前記ハウジングの背面に配置されている薄膜バッテリが使用され、前記薄膜バッテリの電極は、前記アクティブディスプレイの背面ラミネートの後ろの各接触領域と接触しており、前記アクティブディスプレイは前記ソーラーハウジングに貼付されている、請求項１０記載のワイヤレス電子登録プレートシステム。
【請求項１２】
組み立てられた登録プレートは、さらなる保護のために、高度保護プラスチックの付加的な層で、全体をさらにラミネートされている、請求項１または２記載のワイヤレス電子登録プレートシステム。
【請求項１３】
前記ワイヤレス電子登録プレートの背面に、両面のアクリル／エポキシテープが取り付けられており、前記アクリル／エポキシテープは、前記移動手段車体表面、バンパー、または、登録プレートホルダへの前記ワイヤレス電子登録プレートの貼付／接着を可能にする、請求項１２記載のワイヤレス電子登録プレートシステム。
【請求項１４】
前記ワイヤレス電子登録プレートは、既存の標準化され法的に必要とされている登録プレートの形態、パターンおよびサイズとすることができ、前記ワイヤレス電子登録プレートは、前記移動手段車体の外部または前記移動手段の内部のいずれかに配置することができ、また、本発明にしたがって、他の任意の形態、パターンおよびサイズで製造され、登録情報の記憶および表示の目的で内部または外部のいずれかに配置されている、いくつかの付加的ワイヤレス電子登録プレートと組み合わせることができる、請求項１または２記載のワイヤレス電子登録プレートシステム。
【手続補正書】
【提出日】平成19年10月11日(2007.10.11)
【手続補正１】
【補正対象書類名】特許請求の範囲
【補正対象項目名】全文
【補正方法】変更
【補正の内容】
【特許請求の範囲】
【請求項１】
時間の関数として薬剤を制御投薬する方法において、
所望の濃度−時間プロファイル又は所望の効果−時間プロファイルを示す、適応依存及び物質依存目標プロファイルを指定するステップａ）と、治療すべき個人の身体の解剖学的、生理学的及び／又は遺伝学的パラメータと、投与すべき薬剤の特定物質用入力パラメータとを考慮に入れて、時間変動投与プロファイルによる生理学ベースの薬物動態及び／又は薬力学シュミレーションをするステップｂ）と、シュミレートされた時間プロファイルが所定の目標プロファイルと一致するまで、投与プロファイルを反復数値適合するステップｃ）と、ステップｃ）の結果に基づいて投薬装置を制御するステップｄ）とを備える方法。
【手続補正書】
【提出日】平成19年9月27日(2007.9.27)
【手続補正１】
【補正対象書類名】特許請求の範囲
【補正対象項目名】全文
【補正方法】変更
【補正の内容】
【特許請求の範囲】
【請求項１】
対象となる眼球内に眼内レンズを送達するためのカートリッジであって、
遠位端部および近位端部を有する長手方向軸に沿って配設された本体部と、
本体部の遠位端部に開口部を有する長手方向軸に沿って配設された先細ったルーメンとを備え、
開口部と先細ったルーメンの少なくとも一部は、上側部分と下側部分とからなり、
それぞれの上側部分は、第１の幅を有し、かつほぼアーチ状の断面を有し、
それぞれの下側部分は、ほぼ水平方向に配設された断面を有し、かつ第１の幅より大きい第２の幅を有することを特徴とするカートリッジ。
【請求項２】
請求項１に記載のカートリッジであって、
本体部の側部に長手方向に配設された翼部をさらに有することを特徴とするカートリッジ。
【請求項３】
請求項１に記載のカートリッジであって、
本体部は、長手方向軸に沿って配設された開口部を含む底部表面を有することを特徴とするカートリッジ。
【請求項４】
請求項１に記載のカートリッジであって、
開口部は、本体部の近位端部において開口する細長いスロットを有することを特徴とするカートリッジ。
【請求項５】
請求項３に記載のカートリッジであって、
開口部は、挿入器ハンドピースのプッシュロッド先端部を受容するために配設されたことを特徴とするカートリッジ。
【請求項６】
対象となる眼球内に眼内レンズを送達するための挿入システムであって、
長手方向軸と、眼内レンズを受容するための装填チャンバと、遠位端部に開口部を有する長手方向軸に沿って配設された先細ったルーメンと、長手方向軸に沿って配設された開口部を含む底部表面とを備えたカートリッジと、
先端部にサドルを含むプッシュロッドを有するハンドピースとを備え、
カートリッジをハンドピースの上方からハンドピース上に配置する際、先端部の少なくとも一部が通過できるように設けられた開口部が配設されることを特徴とするカートリッジ。
【請求項７】
請求項６に記載の挿入システムであって、
眼内レンズをカートリッジ内に配置するための包装システムをさらに有することを特徴とするカートリッジ。
【請求項８】
請求項７に記載の挿入システムであって、
包装システムは、トレイおよび装填ツールを有することを特徴とするカートリッジ。
【請求項９】
請求項８に記載の挿入システムであって、
包装システムは、蓋およびカバーを有することを特徴とするカートリッジ。
【請求項１０】
請求項６に記載の挿入システムであって、
ハンドピースは、プッシュロッドの下方に配設された隆起したプラットフォームをさらに有することを特徴とするカートリッジ。
【手続補正書】
【提出日】平成19年10月22日(2007.10.22)
【手続補正１】
【補正対象書類名】特許請求の範囲
【補正対象項目名】全文
【補正方法】変更
【補正の内容】
【特許請求の範囲】
【請求項１】
患者の心臓（１２）の心筋（３２）にリードの遠位端部を固定する心筋リード取付けシステム（１０）であって：
前記取付けシステム（１０）は、アンカ（４４）と前記アンカに結合されたテザー（４５）と、前記テザーがトラクトを通って前記アンカ（４４）から近位に延びるように前記アンカ（４４）を受け、近位入口部位から遠位出口部位まで心臓のトラクトを通して前記アンカを進める搬送機器（５０）とから構成され；
前記搬送機器（５０）は、遠位先端（６０）と、この遠位先端（６０）の近くに位置し且アンカ（４４）を受けとるようにサイズ決めされたネスト（６２）とを具備した針（５８）を有すると共に、前記アンカ（４４）を前記ネスト（６２）から押し出す押し出し機構（６６）とから構成され；
前記ネスト（６２）には針管腔（５９）に対して開いている細長いスロットが設けられていることを特徴としたシステム。
【請求項２】
前記押出し機構は、前記アンカ（４４）を前記ネスト（６２）から押し出すためのアクチェータ（８４）をさらに備えることを特徴とする請求項１に記載の心筋リード取付けシステム。
【請求項３】
近位端部、遠位端部、前記テザー（４５，１０４５，１１１２，１２０８，１３０８，１４１２，２１０６，２１４６，３０４５，４０４５）を受けるための管腔（１０４３，１１１０，１２１４，２１４６，１３１０，１４１０，２１５５，３０５２，４０４３）を有するリード本体（３６，１０３６，１１０２，１２０４，１３０４，１４０２，２１０２，２１４２，３０３６，４０３６）をさらに備えることを特徴とする請求項１に記載の心筋リード取付けシステム。
【請求項４】
前記リード本体（４０３６）とは別であり、前記リード本体（４０３６）の前記遠位端部（４０４２）に隣接して配置される先細り先端（４０５４）をさらに備え、その先端（４０５４）は、前記テザー（４０４５）を受けるために長手方向のスルー・ホール（４０５６）を有することを特徴とする請求項３に記載の心筋リード取付けシステム。
【請求項５】
前記先細り先端（４０５４）は、溶解可能材料で形成されることを特徴とする請求項４に記載の心筋リード取付けシステム。
【請求項６】
前記先細り先端（４０５４）は、治療薬品溶出材料で形成されることを特徴とする請求項４に記載の心筋リード取付けシステム。
【請求項７】
前記リード本体（４０３６）の前記遠位端部（４０４２）において固定機構（４０６２）をさらに備え、前記固定機構は、埋込み中、第１位置に畳まれており、埋込み後、第２位置に展開するように適合されることを特徴とする請求項３に記載の心筋リード取付けシステム。
【請求項８】
前記テザー（４５，１０４５，１１１２，１２０８，１３０８，１４１２，２１０６，２１４６，３０４５，４０４５）または前記アンカ（４４）のどちらかは、生吸収性または生分解性のポリマーで形成され、前記リード本体（３６，１０３６，１１０２，１２０４，１３０４，１４０２，２１０２，２１４２，３０３６，４０３６）の部分の回りに瘢痕組織が形成されるのを促進するために、前記リード本体（３６，１０３６，１１０２，１２０４，１３０４，１４０２，２１０２，２１４２，３０３６，４０３６）の一部の上に形成された表面形態をさらに備えることを特徴とする請求項３に記載の心筋リード取付けシステム。
【請求項９】
前記テザー（１０４５，４０４５）の上のロック構造（１０４８，４０６０）と、
前記管腔（１１１０，４０４３）におけるロック・ハウジングであって、前記ロック構造は、ロック・ハウジング（１０４９，４０６１）と嵌合し、近位方向または遠位方向において前記テザー（１０４５，４０４５）に対して前記リード本体（１０３６，４０３６）の動きを制約する、ロック・ハウジング（１０４９，４０６１）をさらに備えることを特徴とする請求項３に記載の心筋リード取付けシステム。
【請求項１０】
前記ロック・ハウジング（１０４９，４０６１）に近接して前記テザー（１３０８）を前記リード本体（１３０４）に係合させる近位ロック（１３１２）をさらに備え、前記近位ロック（１３１２）は、前記リード本体（１３０４）の前記近位端部に摩擦係合して前記テザーを固定するために、前記テザー（１３０８）の上に形成された第２ロック構造を備える請求項９に記載の心筋リード取付けシステム。
【請求項１１】
前記ネストは前記デザー（４５）を受け入れるためのデザースロット（７８）を備えることを特徴とする請求項１に記載の心筋リード取付けシステム。
【請求項１２】
前記ネスト（６２）は傾斜（７６）を備え、前記アンカ（４４）を傾斜し、前記傾斜（７６）の上に載り前記ネスト（６２）の外に出るようになっていることを特徴とする請求項１に記載の心筋リード取付けシステム。
【手続補正書】
【提出日】平成19年9月19日(2007.9.19)
【手続補正１】
【補正対象書類名】特許請求の範囲
【補正対象項目名】全文
【補正方法】変更
【補正の内容】
【特許請求の範囲】
【請求項１】
垂直な中心軸線と、金属薄板製缶本体の端部分に二重巻締めされた、カールされた外周の頂部とを有する金属薄板製缶シェルにおいて、
前記シェルが円形の中央パネルを備え、この中央パネルが傾斜したパネル壁によって、外壁とほぼＵ字横断面形状を有するカウンターシンクの内壁に接続され、前記パネル壁が内側面と外側面とを有しており、この内側面と外側面が軸方向横断面がほぼ真直ぐであり、かつ前記中心軸線に対して３０°〜６０°の角度で延びており、チャック壁が前記カウンターシンクの前記外壁から前記頂部の内壁まで延びており、
前記チャック壁が傾斜した上側壁部分と傾斜した下壁部分とを有しており、
前記上側壁部分が前記中心軸線に対して前記下側壁部分の端点により規定される線の角度よりも大きな角度で延びている線を規定している端点を有しており、
前記頂部の前記内壁が前記チャック壁の前記上側壁部分と共に角度のある変曲部分を規定し、かつ缶本体と共に二重巻締部の内壁を形成するために配置されていることを特徴とするシェル。
【請求項２】
前記カウンターシンクの前記内壁と外壁の間の前記カウンターシンクの底部における前記カウンターシンクの半径方向幅が、前記中央パネルの外側直径と前記カウンターシンクの前記内壁の内側直径の間の前記パネル壁の半径方向幅よりも小さいことを特徴とする請求項１記載のシェル。
【請求項３】
前記カウンターシンクの前記内壁が、前記パネル壁の傾斜した角度とほぼ同じ傾斜した角度で延びていることを特徴とする請求項１記載のシェル。
【請求項４】
前記カウンターシンクの前記内壁が、彎曲した壁部分により前記カウンターシンクの前記外壁に接続されており、この彎曲した壁部分が前記カウンターシンクの底部において前記カウンターシンクの内側幅の半分よりも小さい曲率半径を有していることを特徴とする請求項１記載のシェル。
【請求項５】
前記チャック壁が前記中心軸線に対して３°〜１９°の角度で延びている下側壁部分を有していることを特徴とする請求項１記載のシェル。
【請求項６】
前記チャック壁が線を規定している端点を備えた上側壁部分を有しており
、この上側壁部分が前記中心軸線に対して前記チャック壁の前記下側壁部分の前記角度よりも大きな角度で延びていることを特徴とする請求項５記載のシェル。
【請求項７】
前記頂部の前記内壁が前記チャック壁の上側壁部分と共に角度のある変曲部分を形成し、かつ缶本体と共に二重巻締部の内壁を形成していることを特徴とする請求項６記載のシェル。
【請求項８】
前記パネル壁が約４５°の角度で延びていることを特徴とする請求項１記載のシェル。
【請求項９】
前記カウンターシンクが前記パネル壁に接続された第一の彎曲した部分と
、前記カウンターシンクの前記外壁に接続された第二の彎曲した部分とを有しており、前記第一の彎曲した部分が前記第二の彎曲した部分の曲率半径よりも実質的に大きな曲率半径を有していることを特徴とする請求項１記載のシェル。
【請求項１０】
前記チャック壁が彎曲した上側壁部分を有しており、この上側壁部分が前記カウンターシンクの前記内壁と外壁の間の前記カウンターシンクの底部において、前記カウンターシンクの半径方向幅よりも大きな曲率半径を備えていることを特徴とする請求項１記載のシェル。
【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
Ｆｒｉｚｚｌｅｄホモログ１０（ＦＺＤ１０）タンパク質に対する抗体又はフラグメント、及び薬学的に許容される担体又は賦形剤を含む、Ｆｒｉｚｚｌｅｄホモログ１０（ＦＺＤ１０）に関連する疾患を治療又は予防するための医薬組成物。
【請求項２】
ＦＺＤ１０に関連する疾患が、滑膜肉腫、結腸直腸癌、胃癌、慢性骨髄性白血病、及び急性骨髄性白血病からなる群より選択される、請求項１記載の医薬組成物。
【請求項３】
抗体がポリクローナル抗体又はモノクローナル抗体である、請求項１又は２記載の医薬組成物。
【請求項４】
抗体が、配列番号１に示されるアミノ酸配列の少なくとも５個のアミノ酸残基を含むペプチドに対して誘起されたものである、請求項１〜３のいずれか１項に記載の医薬組成物。
【請求項５】
抗体が、配列番号１に示されるアミノ酸配列の少なくとも４３〜５６番、６１〜７２番、１５６〜１６９番、１５７〜１７０番、１５７〜１７２番、１６１〜１７３番、１７４〜１９１番、１８９〜２０２番、２１４〜２２５番、又は１〜２２５番のアミノ酸残基を含むペプチドに対して誘起されたものである、請求項１〜４のいずれか１項に記載の医薬組成物。
【請求項６】
Ｆｒｉｚｚｌｅｄホモログ１０（ＦＺＤ１０）タンパク質に対する抗体又はフラグメントを含む、Ｆｒｉｚｚｌｅｄホモログ１０（ＦＺＤ１０）に関連する疾患を診断又は予後診断するためのキット。
【請求項７】
ＦＺＤ１０に関連する疾患が、滑膜肉腫、結腸直腸癌、胃癌、慢性骨髄性白血病、及び急性骨髄性白血病からなる群より選択される、請求項６記載のキット。
【請求項８】
抗体がポリクローナル抗体又はモノクローナル抗体である、請求項６又は７記載のキット。
【請求項９】
抗体が、配列番号１に示されるアミノ酸配列の少なくとも５個のアミノ酸残基を含むペプチドに対して誘起されたものである、請求項６〜８のいずれか１項に記載のキット。
【請求項１０】
抗体が、配列番号１に示されるアミノ酸配列の少なくとも４３〜５６番、６１〜７２番、１５６〜１６９番、１５７〜１７０番、１５７〜１７２番、１６１〜１７３番、１７４〜１９１番、１８９〜２０２番、２１４〜２２５番、又は１〜２２５番のアミノ酸残基を含むペプチドに対して誘起されたものである、請求項６〜９のいずれか１項に記載のキット。
【請求項１１】
Ｆｒｉｚｚｌｅｄホモログ１０（ＦＺＤ１０）に関連する疾患を診断又は予後診断するためのキットの製造における、配列番号１に示されるアミノ酸配列の少なくとも５個のアミノ酸残基を含むペプチドに対して誘起された抗体又はフラグメントの使用。
【請求項１２】
Ｆｒｉｚｚｌｅｄホモログ１０（ＦＺＤ１０）に関連する疾患を治療又は予防するための組成物の製造における、配列番号１に示されるアミノ酸配列の少なくとも５個のアミノ酸残基を含むペプチドに対して誘起された抗体又はフラグメントの使用。
【請求項１３】
配列番号１に示されるアミノ酸配列の少なくとも５個のアミノ酸残基を含むペプチドに対して誘起された抗体又はそのフラグメント。
【請求項１４】
配列番号１に示されるアミノ酸配列の少なくとも４３〜５６番、６１〜７２番、１５６〜１６９番、１５７〜１７０番、１５７〜１７２番、１６１〜１７３番、１７４〜１９１番、１８９〜２０２番、２１４〜２２５番、又は１〜２２５番のアミノ酸残基を含むペプチドに対して誘起された請求項１３記載の抗体又はそのフラグメント。
【請求項１５】
ポリクローナル抗体又はモノクローナル抗体である、請求項１３又は１４記載の抗体又はそのフラグメント。
【請求項１６】
モノクローナル抗体が、マウス−マウスハイブリドーマ５Ｆ２ ＴＫ１０Ｐ２（受託番号ＦＥＲＭ ＢＰ−０８６２８）から産生されるものである、請求項１５記載の抗体又はそのフラグメント。
【手続補正書】
【提出日】平成19年8月2日(2007.8.2)
【手続補正１】
【補正対象書類名】明細書
【補正対象項目名】００３４
【補正方法】変更
【補正の内容】
【００３４】
Ｈ−Ｔｙｒ(Ｂｚｌ)−Ｐｈｅ−(２Ｓ,４Ｒ)−４−(Ｂｏｃ−ＮＨ−ＣＨ２−ＣＨ２−ＮＨ−ＣＯ−Ｏ)−Ｐｒｏ−Ｐｈｇ−Ｄ−Ｔｒｐ(Ｂｏｃ)Ｌｙｓ(Ｂｏｃ)−ＯＨの合成
【化２６】
2007526899.tif 000001
ａ)Ｆｍｏｃ−Ｌｙｓ(Ｂｏｃ)−Ｏ−樹脂の合成
トルエンで前処理した４−(クロロ(ジフェニル)メチル)ベンゾイルアミノメチルポリスチレン樹脂(２０ｇ、１９.４mmol)を４時間、塩化アセチル(７.６ｇ、９７mmol)のトルエン溶液で、ＲＴで処理する。濾過後、この工程を一晩繰り返し、その後、樹脂を濾過し、トルエンおよびジクロロメタンで洗浄する。カップリングを、Ｆｍｏｃ−Ｌｙｓ(Ｂｏｃ)−ＯＨ(１８.２ｇ、３８.８mmol；２当量)およびＮ−メチルモルホリン(３.９４ｇ、３８.８mmol、２当量)の混合物で４時間、ＲＴで行う。濾過後、樹脂をＤＭＦおよびＩＰＡで交互に３回洗浄し、真空で乾燥させて、０.５６６mmol／ｇ(Ｆｍｏｃ−法で測定)のキャパシティーの２６.５ｇの黄色がかったＦｍｏｃ−Ｌｙｓ(Ｂｏｃ)−Ｏ−樹脂を得る。(文献Ｆｍｏｃ−法：Meienhofer, J.;Waki, M;Heimer, E.P.;Lambros, T.J.;Makofske, R.C.;Chang, C. D. Int. J. Pep. Prot. Res. 1979, 13, 35)